【手続補正書】
【提出日】平成19年1月15日(2007.1.15)
【手続補正１】
【補正対象書類名】明細書
【補正対象項目名】特許請求の範囲
【補正方法】変更
【補正の内容】
【特許請求の範囲】
【請求項１】
所定の押下圧力による感圧ボタンの押圧操作をプレイヤーに対して要求するビデオゲームの押下圧力判別プログラムであって、
感圧ボタンに入力される押下圧力の基準範囲の上限或いは下限の少なくとも一方を規定する閾値を、閾値設定手段が設定する閾値設定ステップと、
上記基準範囲に上記閾値を超えて所定のマージンを加えることにより、適正入力範囲設定手段が上記感圧ボタンに入力される押下圧力の適正入力範囲を設定する範囲設定ステップと、
上記基準範囲内での押下圧力による上記感圧ボタンの押圧操作を、要求手段がプレイヤーに対して要求する要求ステップと、
上記感圧ボタンに入力された押下圧力を、検出手段が検出する検出ステップと、
上記検出手段により検出された感圧ボタンの押下圧力が上記適正入力範囲に含まれるとき、適正な押下圧力であると判別手段が判別する判別ステップと
をコンピュータに実行させるための押下圧力判別プログラム。
【請求項２】
請求項１記載の押下圧力判別プログラムであって、
上記閾値設定ステップでは、プレイヤーからの入力に応じて上記閾値設定手段が上記閾値を設定する
ことを特徴とするコンピュータに実行させるための押下圧力判別プログラム。
【請求項３】
請求項２記載の押下圧力判別プログラムであって、
上記閾値設定ステップは、
上記押下圧力の検出可能範囲を表示する範囲表示部と、上記閾値に相当する位置を上記範囲表示部に対して表示する閾値表示部と、上記基準範囲に相当する範囲を上記範囲表示部に対して表示する特定範囲表示部とを、プレイヤーからの入力に応じて表示制御手段が表示手段に表示するステップと、
上記検出手段により押下圧力が検出されたとき、該押下圧力に相当する位置を上記範囲表示部に対して表示する入力位置表示部を、表示制御手段が表示手段に表示するステップと、
プレイヤーからの入力に応じて、上記表示制御手段が、上記閾値表示部を上記範囲表示部に対して移動表示すると共に、上記閾値表示部の移動に伴って上記特定範囲表示部を増減して表示するステップと、を有する
ことを特徴とするコンピュータに実行させるための押下圧力判別プログラム。
【請求項４】
請求項１〜請求項３の何れかに記載の押下圧力判別プログラムであって、
上記閾値設定ステップでは、上記閾値設定手段が、上記押下圧力の第１の基準範囲の下限を規定すると共に上記押下圧力の第２の基準範囲の上限を規定する閾値を設定し、
上記範囲設定ステップでは、上記適正入力範囲設定手段が、上記第１の基準範囲に上記閾値を超えて所定のマージンを加えることにより上記押下圧力の第１の適正入力範囲を上記第２の基準範囲と部分的に重複して設定すると共に、上記第２の基準範囲に上記閾値を超えて所定のマージンを加えることにより上記押下圧力の第２の適正入力範囲を上記第１の基準範囲と部分的に重複して設定し、
上記要求ステップでは、上記第１の基準範囲内での押下圧力による上記感圧ボタンの押圧操作又は上記第２の基準範囲内での押下圧力による上記感圧ボタンの押圧操作を、上記要求手段がプレイヤーに対して要求し、
上記判別ステップでは、上記要求手段が上記第１の基準範囲内での押下圧力による上記感圧ボタンの押圧操作を要求し、且つ上記検出された押下圧力が上記第１の適正入力範囲に含まれるとき、または、上記要求手段が上記第２の基準範囲内での押下圧力による上記感圧ボタンの押圧操作を要求し、且つ上記検出された押下圧力が上記第２の適正入力範囲に含まれるとき、適正な押下圧力であると上記判別手段が判別する
ことを特徴とするコンピュータに実行させるための押下圧力判別プログラム。
【請求項５】
請求項１〜請求項４の何れかに記載の押下圧力判断プログラムが記憶されたコンピュータ読み取り可能な記憶媒体。
【請求項６】
ビデオゲームのプレイヤーによる感圧ボタンの押圧操作の適否を判別する押下圧力判別装置であって、
感圧ボタンに入力される押下圧力を検出する検出手段と、
上記感圧ボタンに入力される押下圧力の上限或いは下限の少なくとも一方を規定する閾値を設定する設定手段と、
基準範囲に上記閾値を超えて所定のマージンを加えることにより、上記感圧ボタンに入力される押下圧力の適正入力範囲を設定する適正入力範囲設定手段と、
上記基準範囲内での押下圧力による上記感圧ボタンの押圧操作を、プレイヤーに対して要求する要求手段と、
上記検出手段により検出された上記感圧ボタンの押下圧力が上記適正入力範囲に含まれるとき、適正な押下圧力である判別する判別手段と
を有することを特徴とする押下圧力判別装置。
【請求項７】
請求項６記載の押下圧力判別装置であって、
上記設定手段は、プレイヤーからの入力に応じて上記閾値を設定する
ことを特徴とする押下圧力判別装置。
【請求項８】
請求項７記載の押下圧力判別装置であって、
表示手段と、表示制御手段と、をさらに有し、
上記表示制御手段は、上記押下圧力の検出可能範囲を表示する範囲表示部と、上記閾値に相当する位置を上記範囲表示部に対して表示する閾値表示部と、上記基準範囲に相当する範囲を上記範囲表示部に対して表示する特定範囲表示部とを、プレイヤーからの入力に応じて上記表示手段に表示し、上記検出手段により押下圧力が検出されたとき、該押下圧力に相当する位置を上記範囲表示部に対して表示する入力位置表示部を上記表示手段に表示し、且つプレイヤーからの入力に応じて、上記閾値表示部を上記範囲表示部に対して移動表示すると共に、上記閾値表示部の移動に伴って上記特定範囲表示部を増減して表示する
ことを特徴とする押下圧力判別装置。
【請求項９】
請求項６〜請求項８の何れかに記載の押下圧力判別装置であって、
上記閾値設定手段は、上記押下圧力の第１の基準範囲の下限を規定すると共に上記押下圧力の第２の基準範囲の上限を規定する閾値を設定し、
上記適正入力範囲設定手段は、上記第１の基準範囲に上記閾値を超えて所定のマージンを加えることにより上記押下圧力の第１の適正入力範囲を上記第２の基準範囲と部分的に重複して設定すると共に、上記第２の基準範囲に上記閾値を超えて所定のマージンを加えることにより上記押下圧力の第２の適正入力範囲を上記第１の基準範囲と部分的に重複して設定し、
上記要求手段は、上記第１の基準範囲内での押下圧力による上記感圧ボタンの押圧操作又は上記第２の基準範囲内での押下圧力による上記感圧ボタンの押圧操作を、プレイヤーに対して要求し、
上記判別手段は、上記要求手段が上記第１の基準範囲内での押下圧力による上記感圧ボタンの押圧操作を要求し、且つ上記検出された押下圧力が上記第１の適正入力範囲に含まれるとき、または、上記要求手段が上記第２の基準範囲内での押下圧力による上記感圧ボタンの押圧操作を要求し、且つ上記検出された押下圧力が上記第２の適正入力範囲に含まれるとき、適正な押下圧力であると判別する
ことを特徴とする押下圧力判別装置。
【請求項１０】
所定の押下圧力による感圧ボタンの押圧操作をプレイヤーに対して要求するビデオゲームの押下圧力判別プログラムであって、
押下圧力の閾値を、プレイヤーからの入力に応じて閾値設定手段が設定する閾値設定ステップと、
上記感圧ボタンに入力された押下圧力を、検出手段が検出する検出ステップと、
上記閾値設定手段が設定した閾値によって決定される所定の押下圧力範囲に、上記検出手段により検出された感圧ボタンの押下圧力が含まれるか否かを、判別手段が判別する判別ステップと、
上記判別手段による判別結果に応じた信号を、出力手段が出力する出力ステップと
をコンピュータに実行させるための押下圧力判別プログラム。
【請求項１１】
請求項１０に記載の押下圧力判断プログラムが記憶されたコンピュータ読み取り可能な記憶媒体。
【請求項１２】
ビデオゲームのプレイヤーによる感圧ボタンの押圧操作の適否を判別する押下圧力判別装置であって、
押下圧力の閾値をプレイヤーからの入力に応じて設定する閾値設定手段と、
感圧ボタンに入力される押下圧力を検出する検出手段と、
上記閾値設定手段が設定した閾値によって決定される所定の押下圧力範囲に、上記検出手段により検出された感圧ボタンの押下圧力が含まれるか否かを判別する判別手段と、
上記判別手段による判別結果に応じた信号を出力する出力手段と
を有することを特徴とする押下圧力判別装置。
【手続補正２】
【補正対象書類名】明細書
【補正対象項目名】発明の名称
【補正方法】変更
【補正の内容】
【発明の名称】押下圧力判別プログラム、押下圧力判別プログラムが記憶された記憶媒体、及び押下圧力判別装置
【手続補正３】
【補正対象書類名】明細書
【補正対象項目名】０００１
【補正方法】変更
【補正の内容】
【０００１】
【発明の属する技術分野】
本発明は、感圧ボタンの感圧値を弾力的に判別して制御対象を制御可能な押下圧力判別プログラム、押下圧力判別プログラムが記憶された記憶媒体、及び押下圧力判別装置に関する。
【補正対象書類名】  明細書
【補正対象項目名】  ０００５
【補正方法】        変更
【補正の内容】
【０００１】
本発明は、上述の課題に鑑みてなされたものであり、押圧力を弾力的に検出して制御対象を制御することで、押圧力の個人差を吸収して適正に制御対象を制御することができるような押下圧力判別プログラム、押下圧力判別プログラムが記憶された記憶媒体、及び押下圧力判別装置を提供することを目的とする。